(57)【要約】【課題】コンテンツを記録媒体に記録・再生するコンテンツ記録再生信号処理回路において、指定時間内に書き込みが完了しないことによる記録媒体への記録失敗や記録再試行の発生を防止する。【解決手段】記録媒体３へのコンテンツ作成を行う前に、アクセス手段５を用いて記録媒体３に対してアクセス性能測定用データの読み書きを行い、その際アクセス性能計測手段６により記録媒体３のアクセス性能を計測し、記録媒体３にアクセスできる最大の速度をコンテンツ入力制御信号として出力することで、外部からのコンテンツ入力速度を調整し、指定時間内に書き込みが完了しないことによる記録媒体への記録失敗や記録再試行の発生を防止する。【選択図】図１
2009037699.tif 000002
【特許請求の範囲】
【請求項１】
外部から入力されるコンテンツを一時的に記憶する記憶手段と、
内部に読み書き制御用のコントローラを保有するとともに識別用の機器情報を保有する記録媒体に対して、前記コントローラを介してアクセスするとともに、前記記憶手段に対してアクセスするアクセス手段と、
前記記録媒体のアクセス性能を計測し、前記記録媒体にアクセスできる最大の速度を示す情報をコンテンツ入力制御信号として出力するアクセス性能計測手段と、
前記アクセス手段により前記記録媒体から読み出された前記機器情報と前記アクセス性能計測手段で計測されたアクセス性能を示す情報とを関連付けて保持するアクセス性能結果記憶手段とを備え、
前記コンテンツ入力制御信号は外部に通知されることを特徴とするコンテンツ記録再生信号処理回路。
【請求項２】
記録媒体のアクセス性能を計測するために、前記記録媒体に読み書きするアクセス性能測定用データとして前記記憶手段に一定サイズのデータを予め保持しておくことを特徴とする請求項１に記載のコンテンツ記録再生信号処理回路。
【請求項３】
前記アクセス性能計測手段は、前記記録媒体に読み書きするアクセス性能測定用データのサイズと前記アクセス手段により前記記録媒体へのアクセスが発生する処理時間の計測結果とから前記記録媒体のアクセス性能を計測することを特徴とする請求項１および２の何れか１項に記載のコンテンツ記録再生信号処理回路。
【請求項４】
前記処理時間として、前記アクセス手段が前記記録媒体に対し、ファイルを作成する時間を計測することを特徴とする請求項３に記載のコンテンツ記録再生信号処理回路。
【請求項５】
前記ファイルを作成する時間として、前記アクセス手段が前記記録媒体内の領域へのファイル生成、ファイルオープンおよびファイルクローズにかかる時間を計測することを特徴とする請求項４に記載のコンテンツ記録再生信号処理回路。
【請求項６】
前記処理時間として、前記アクセス手段が前記記録媒体に対し、ファイルを読み込む時間を計測することを特徴とする請求項３に記載のコンテンツ記録再生信号処理回路。
【請求項７】
前記処理時間として、前記アクセス手段が前記記録媒体に対し、ファイルを書き込む時間を計測することを特徴とする請求項３に記載のコンテンツ記録再生信号処理回路。
【請求項８】
前記アクセス性能計測手段は、タイマカウンタを用いて、前記アクセス手段から前記記録媒体へのアクセスが発生する処理において、処理開始時と処理終了時とのタイマカウンタのカウント値をそれぞれ読み出し、前記タイマカウンタの両カウント値の差分データから前記処理時間を計測することを特徴とする請求項３に記載のコンテンツ記録再生信号処理回路。
【請求項９】
前記アクセス性能計測手段は、タイマ割込み機能を用いて、前記アクセス手段から前記記録媒体へのアクセスが発生する処理において、処理開始時から処理終了時までのタイマ割込み回数から前記処理時間を計測することを特徴とする請求項３に記載のコンテンツ記録再生信号処理回路。
【請求項１０】
前記アクセス性能計測手段は、前記アクセス性能結果記憶手段を参照し、前記記録媒体の前記機器情報およびそれに対応したアクセス性能を示す情報が前記アクセス性能結果記憶手段内に存在する場合は、前記記録媒体のアクセス性能を計測することなしに、前記記録媒体の前記機器情報およびそれに対応したアクセス性能を示す情報をもとに前記記録媒体にアクセスできる最大の速度を示す情報を前記コンテンツ入力制御信号として出力することを特徴とする請求項１に記載のコンテンツ記録再生信号処理回路。
【請求項１１】
前記アクセス性能計測手段は、計測されたアクセス性能を示す情報を前記アクセス手段を介して前記記録媒体に保持させることを特徴とする請求項１に記載のコンテンツ記録再生信号処理回路。
【請求項１２】
前記アクセス性能計測手段は、前記アクセス手段を介して前記記録媒体を参照し、前記記録媒体内にアクセス性能を示す情報が存在する場合は、アクセス性能を示す情報を前記記録媒体から取得し、前記記録媒体のアクセス性能を計測することなしに、アクセス性能を示す情報をもとに前記記録媒体にアクセスできる最大の速度を示す情報をコンテンツ入力制御信号として出力することを特徴とする請求項１１に記載のコンテンツ記録再生信号処理回路。
【請求項１３】
前記アクセス性能計測手段は、前記記録媒体内に保持されているアクセス性能を示す情報が正しいかどうかを確認することを特徴とする請求項１１に記載のコンテンツ記録再生信号処理回路。
【請求項１４】
外部から入力されるコンテンツを指示された形式に信号圧縮する信号圧縮手段と、
前記信号圧縮手段により圧縮された圧縮コンテンツを一時的に記憶する記憶手段と、
内部に読み書き制御用のコントローラを保有するとともに識別用の機器情報を保有する記録媒体に対して、前記コントローラを介してアクセスするとともに前記記憶手段に対してアクセスするアクセス手段と、
前記記録媒体のアクセス性能を計測するアクセス性能計測手段と、
前記アクセス手段により前記記録媒体から読み出された前記機器情報と前記アクセス性能計測手段で計測されたアクセス性能を示す情報とを関連付けて保持するアクセス性能結果記憶手段と、
前記信号圧縮手段で圧縮される度合いと前記アクセス性能計測手段で計測された前記記録媒体のアクセス性能から最適なコンテンツ入力速度を判定し、最適なコンテンツ入力速度を示す情報をコンテンツ入力制御信号として出力するコンテンツ入力速度判定手段とを備え、
前記コンテンツ入力制御信号は外部に通知されることを特徴とするコンテンツ記録再生信号処理回路。
【請求項１５】
前記コンテンツ入力速度判定手段は、前記アクセス性能計測手段で計測されたアクセス性能を予め決められた所定の基準に従って判定し、その判定結果をもとに最適なコンテンツ入力速度を示す情報をコンテンツ入力制御信号として出力することを特徴とする請求項１４に記載のコンテンツ記録再生信号処理回路。
【請求項１６】
前記コンテンツ入力速度判定手段は、予め決められた所定の基準として、外部から入力されているコンテンツの転送速度と信号圧縮後の圧縮コンテンツの転送速度とをもとに判定することを特徴とする請求項１５に記載のコンテンツ記録再生信号処理回路。
【請求項１７】
請求項１に記載のコンテンツ記録再生信号処理回路と、
コンテンツを読み取る読取手段と、
前記読取手段で読み取ったコンテンツを、前記コンテンツ記録再生信号処理回路から出力されたコンテンツ入力制御信号で指示された速度で前記コンテンツ記録再生信号処理回路へ入力制御する制御手段と、
ユーザからの記録もしくは再生の指示を受け付けて前記制御手段へ通知する記録再生装置操作手段と、
前記コンテンツ記録再生信号回路から出力されるコンテンツを再生する再生手段とを備えたコンテンツ記録再生装置。
【請求項１８】
前記記録再生装置操作手段は、表示手段を有し、前記アクセス性能計測手段で計測した前記記録媒体のアクセス性能を表示することを特徴とする請求項１７に記載のコンテンツ記録再生装置。
【請求項１９】
請求項１４に記載のコンテンツ記録再生信号処理回路と、
コンテンツを読み取る読取手段と、
前記コンテンツ記録再生信号処理回路から出力されたコンテンツ入力制御信号で指示された速度で前記読取手段で読み取ったコンテンツを前記コンテンツ記録再生信号処理回路へ入力制御する制御手段と、
ユーザからの記録もしくは再生の指示を受け付けて前記制御手段へ通知する記録再生装置操作手段と、
前記コンテンツ記録再生信号回路から出力されるコンテンツを再生する再生手段とを備えたコンテンツ記録再生装置。
【請求項２０】
前記記録再生装置操作手段は、表示手段を有し、前記コンテンツ入力速度判定手段で判定されたコンテンツ入力速度を表示することを特徴とする請求項１９に記載のコンテンツ記録再生装置。
【発明の詳細な説明】
【技術分野】
【０００１】
本発明は、コンテンツを記録媒体に記録・再生するコンテンツ記録再生信号処理回路およびそれを用いたコンテンツ記録再生装置に関し、特に指定時間内に書き込みが完了しないことによる記録媒体への記録失敗や記録再試行の発生防止に関する。
【背景技術】
【０００２】
現在、様々なメディア（例えば、可搬性のある光ディスクや、メモリカード、ネットワーク等）から各種コンテンツを取得して、ハードディスクやメモリ等の内部に読み書き制御するコントローラを保有する記録媒体に記録する機能を備えた電子機器（例えば、パソコン、ＡＶ機器、携帯端末等）が普及している。
【０００３】
ここでいうコンテンツとは、番組、ゲーム、音楽等、映像や音声としてユーザに認識される情報のことである。
【０００４】
上述の電子機器を利用すれば、コンテンツを取得して内部に読み書き制御するコントローラを保有する記録媒体に記録することができる。
【０００５】
ここで、上記のような電子機器を構成する従来のコンテンツ記録再生信号処理回路を図１５に示す。図１５において、符号１０１は映像や音声などの外部からの入力速度が一定のコンテンツを示す。符号１０２はコンテンツを一時的に記憶する記憶手段を示す。この記憶手段１０２は、一時的に記憶したコンテンツを外部へ出力する。符号１０３は映像や音声を記録する記録媒体を示す。この記録媒体１０３は、例えば、ＳＤメモリなどの半導体メモリカードからなる。符号１０４は記録媒体１０３に含まれている読み書き制御用のコントローラを示す。符号１０５は記憶手段１０２に記録されたコンテンツを、コントローラ１０４を介して記録媒体１０３に書き込んだり、または、記録媒体１０３に記録されているコンテンツや記録媒体１０３の機器情報を読み込んだりするアクセス手段を示す。
【０００６】
以上のような構成のコンテンツ記録再生信号処理回路によって、記録媒体１０３へのコンテンツの書き込みや、記録媒体１０３からのコンテンツの読み出しが行われる。
【０００７】
しかし、内部に読み書き制御するコントローラを保有する記録媒体の中にはアクセス応答時間が遅いものがあり、指定した時間内に新たなコンテンツ作成（情報記録）ができない状態が発生する。このような状況に陥った場合には、状態発生後に指定時間枠を広げて再度記録動作を行うが、このような状態発生をトリガにしているため、一定操作内に何度も同様な動作をする可能性がある。
【０００８】
例えば、ＣＤからのデータのコピーについて考えると、一定操作というのは、
ａ）ＣＤをセット
↓
ｂ）書き込み速度決定
↓
ｃ）書き込み開始
↓
ｄ）書き込み完了
という一連の操作ということになる。ここで、ｂ）において指定した速度では書き込みが間に合わなかった場合、
ａ）ＣＤをセット
↓
ｂ）書き込み速度決定
↓
ｃ）書き込み開始
↓
ｂ′）書き込み速度再決定（書き込み速度を落とす）
↓
ｃ′）書き込み開始
↓
ｄ）書き込み完了
のように、ｂ）とｃ）のステップを繰り返して書き込みを行うことになる。
【０００９】
下記の特許文献１には、データの供給側と処理側との間で、クロック信号を共有しなくても動作速度を一致させる情報処理装置及び方法、カーオーディオシステム及びその制御方法並びに情報処理用プログラムを記録した記録媒体が開示されている。
【特許文献１】特開平１１−３１２１４３号公報
【発明の開示】
【発明が解決しようとする課題】
【００１０】
しかしながら、従来のコンテンツ記録再生信号処理装置においては、記録媒体へのコンテンツ作成時間として、記録媒体へのアクセス処理時間（ファイル生成時間[Create]、ファイルオープン時間[Open]、ファイル書き込み時間[Write]、ファイルクローズ時間[Close]）と書き込みデータの作成時間とがある。前者は記録媒体のアクセス性能に左右され、後者はデジタルデータとして記録される楽曲の音質（データの圧縮方式やビットレートなど）に左右される。
【００１１】
したがって、本発明の目的は、コンテンツ作成を行う前に記録媒体のアクセス性能を計測し、記録媒体にアクセスできる最大の速度をコンテンツ入力制御信号として出力することで、外部からのコンテンツ入力速度を調整し、指定時間内に書き込みが完了しないことによる記録媒体への記録失敗や記録再試行の発生を防止するようにしたコンテンツ記録再生信号処理回路及び当該回路に関する諸技術を提供することを目的とする。
【課題を解決するための手段】
【００１２】
上記課題を解決するために、本発明の第１のコンテンツ記録再生信号処理回路は、外部から入力されるコンテンツを一時的に記憶する記憶手段と、内部に読み書き制御用のコントローラを保有するとともに識別用の機器情報を保有する記録媒体に対して、コントローラを介してアクセスするとともに、記憶手段にアクセスするアクセス手段と、記録媒体のアクセス性能を計測し、記録媒体にアクセスできる最大の速度を示す情報をコンテンツ入力制御信号として出力するアクセス性能計測手段と、アクセス手段により記録媒体から読み出された機器情報とアクセス性能計測手段で計測されたアクセス性能を示す情報とを関連付けて保持するアクセス性能結果記憶手段とを備え、コンテンツ入力制御信号は外部に通知される。
【００１３】
この構成によれば、コンテンツ作成を行う前に記録媒体のアクセス性能からコンテンツ作成（情報記録）ができる処理時間を推測し、指定時間内に書き込みが完了しないことによる記録媒体への記録失敗や記録再試行の発生を防いでコンテンツを記録媒体に記録することができる。
【００１４】
上記の本発明の第１のコンテンツ記録再生信号処理回路においては、記録媒体のアクセス性能を計測するために、記録媒体に読み書きするアクセス性能測定用データとして記憶手段に一定サイズのデータを予め保持しておくことが好ましい。
【００１５】
この構成によれば、書き込むアクセス性能測定用データが同一となり、同じ環境下でのアクセス性能を計測することができる。
【００１６】
また、上記構成のコンテンツ記録再生信号処理回路においては、アクセス性能計測手段は、記録媒体に読み書きするアクセス性能測定用データのサイズとアクセス手段により記録媒体へのアクセスが発生する処理時間（ファイル生成、ファイル読み込み、ファイル書き込み、ファイルクローズ）の計測結果とから記録媒体のアクセス性能を計測することが好ましい。
【００１７】
この構成によれば、記録媒体のアクセス性能（単位時間あたりの書き込み速度、読み込み速度）を計測することができる。
【００１８】
上記構成において、処理時間として、アクセス手段が記録媒体に対し、ファイルを作成する時間を計測することが好ましい。
【００１９】
また、上記構成においては、ファイルを作成する時間として、アクセス手段が記録媒体内の領域へのファイル生成、ファイルオープンおよびファイルクローズにかかる時間を計測するようにしてもよい。
【００２０】
さらに、上記構成においては、処理時間として、アクセス手段が記録媒体に対し、ファイルを読み込む時間を計測するようにしてもよい。
【００２１】
さらにまた、上記構成においては、処理時間として、アクセス手段が記録媒体に対し、ファイルを書き込む時間を計測するようにしてもよい。
【００２２】
上記の本発明の第１のコンテンツ記録再生信号処理回路においては、アクセス性能計測手段は、タイマカウンタを用いて、アクセス手段から記録媒体へのアクセスが発生する処理において、処理開始時と処理終了時とのタイマカウンタのカウント値をそれぞれ読み出し、タイマカウンタの両カウント値の差分データから処理時間を計測することが好ましい。
【００２３】
この構成によれば、タイマカウンタが使用されているコンテンツ記録再生信号処理回路においては、アクセスが発生する処理において、処理開始時と処理終了時の2箇所でのタイマカウンタの計測を行うだけで、タイマカウンタの差分とタイマカウンタの更新周期との積で処理時間を計測することができる。
【００２４】
また、上記の本発明の第１のコンテンツ記録再生信号処理回路においては、アクセス性能計測手段は、タイマ割込み機能を用いて、アクセス手段から記録媒体へのアクセスが発生する処理において、処理開始時から処理終了時までのタイマ割込み回数から処理時間を計測するようにしてもよい。
【００２５】
この構成によれば、タイマ割込みが使用されているコンテンツ記録再生信号処理回路においては、タイマ割込み回数とタイマ割込み周期との積で処理時間を計測することができる。
【００２６】
また、上記の本発明の第１のコンテンツ記録再生信号処理回路においては、アクセス性能結果記憶手段は、記録媒体を識別する機器情報とアクセス性能計測手段で計測されたアクセス性能とを記録媒体との接続が切れてもアクセス性能結果記憶手段に保持する構成とし、アクセス性能計測手段は、アクセス性能結果記憶手段を参照し、記録媒体の機器情報およびそれに対応したアクセス性能を示す情報がアクセス性能結果記憶手段内に存在する場合は、記録媒体のアクセス性能を計測することなしに、記録媒体の機器情報およびそれに対応したアクセス性能を示す情報をもとに記録媒体にアクセスできる最大の速度を示す情報をコンテンツ入力制御信号として出力することが好ましい。
【００２７】
この構成によれば、アクセス性能を計測済みの記録媒体が接続された際に、再度アクセス性能を計測することなく、アクセス性能を判定することができる。
【００２８】
また、上記の本発明の第１のコンテンツ記録再生信号処理回路においては、アクセス性能計測手段は、計測されたアクセス性能を示す情報をアクセス手段を介して記録媒体に保持させるようにしてもよい。
【００２９】
この構成によれば、記録媒体が実際に計測した機器(信号処理回路)以外の機器に接続されても、再度アクセス性能測定をすることなく、アクセス性能を判定することができる。
【００３０】
上記のように、アクセス性能を示す情報を記録媒体に保持させる構成の場合、アクセス性能計測手段は、アクセス手段を介して記録媒体を参照し、記録媒体内にアクセス性能を示す情報が存在する場合は、アクセス性能を示す情報を記録媒体から取得し、記録媒体のアクセス性能を計測することなしに、アクセス性能を示す情報をもとに記録媒体にアクセスできる最大の速度を示す情報をコンテンツ入力制御信号として出力することが好ましい。
【００３１】
上記のように、アクセス性能を示す情報を記録媒体に保持させる構成の場合、アクセス性能計測手段は、記録媒体内に保持されているアクセス性能を示す情報が正しいかどうかを確認することが好ましい。アクセス性能を示す情報が正しいかどうかは、例えば、計測した各々のアクセス性能を示す情報に対して、チェックサムを付加することで確認できる。
【００３２】
この構成によれば、計測したアクセス性能結果が正しいかどうかを判断することができる。
【００３３】
本発明の第２のコンテンツ記録再生信号処理回路は、外部から入力されるコンテンツを指示された形式に信号圧縮する信号圧縮手段と、信号圧縮手段により圧縮された圧縮コンテンツを一時的に記憶する記憶手段と、内部に読み書き制御用のコントローラを保有するとともに識別用の機器情報を保有する記録媒体に対して、コントローラを介してアクセスするとともに記憶手段に対してアクセスするアクセス手段と、記録媒体のアクセス性能を計測するアクセス性能計測手段と、アクセス手段により記録媒体から読み出された機器情報とアクセス性能計測手段で計測されたアクセス性能を示す情報とを関連付けて保持するアクセス性能結果記憶手段と、信号圧縮手段で圧縮される度合いとアクセス性能計測手段で計測された記録媒体のアクセス性能から最適なコンテンツ入力速度を判定し、最適なコンテンツ入力速度を示す情報をコンテンツ入力制御信号として出力するコンテンツ入力速度判定手段とを備え、コンテンツ入力制御信号は外部に通知される。
【００３４】
この構成によれば、コンテンツ作成を行う前に記録媒体のアクセス性能からコンテンツ作成（情報記録）ができる処理時間を推測し、指定時間内に書き込みが完了しないことによる記録媒体への記録失敗や記録再試行の発生を防いでコンテンツを記録媒体に記録することができる。また、信号圧縮手段での入力信号の圧縮率を考慮し、記録媒体のアクセス性能（書き込み速度）以上のコンテンツ入力速度でコンテンツ記録再生信号処理回路にコンテンツを入力することができる。
【００３５】
上記本発明の第２のコンテンツ記録再生信号処理回路においては、コンテンツ入力速度判定手段は、アクセス性能計測手段で計測されたアクセス性能を予め決められた所定の基準に従って判定し、その判定結果をもとに最適なコンテンツ入力速度を示す情報をコンテンツ入力制御信号として出力することが好ましい。
【００３６】
上記構成においては、コンテンツ入力速度判定手段は、予め決められた所定の基準として、外部から入力されているコンテンツの転送速度と信号圧縮後の圧縮コンテンツの転送速度とをもとに判定することが好ましい。
【００３７】
本発明の第１のコンテンツ記録再生装置は、本発明の第１のコンテンツ記録再生信号処理回路と、コンテンツを読み取る読取手段と、読取手段で読み取ったコンテンツを、コンテンツ記録再生信号処理回路から出力されたコンテンツ入力制御信号で指示された速度でコンテンツ記録再生信号処理回路へ入力制御する制御手段と、ユーザからの記録もしくは再生の指示を受け付けて制御手段へ通知する記録再生装置操作手段と、コンテンツ記録再生信号回路から出力されるコンテンツを再生する再生手段とを備えている。
【００３８】
この構成においては、コンテンツ記録再生信号処理回路が、コンテンツ記録再生信号処理回路から記録媒体への書き込みが間に合う速度（アクセス性能）を求める。そして、コンテンツ記録再生信号処理回路が制御手段にコンテンツ入力制御信号としてその速度を伝える。これによって、制御手段がその速度を超えないようにコンテンツ記録再生信号処理回路の記憶手段へのコンテンツ入力を制御する。ここで、読取手段における読取速度と記憶手段への入力速度は同じである。
【００３９】
この構成によれば、本発明の第１のコンテンツ記録再生信号処理回路と同様の作用効果を奏する。
【００４０】
上記構成においては、記録再生装置操作手段は、表示手段を有し、アクセス性能計測手段で計測した記録媒体のアクセス性能を表示することが好ましい。
【００４１】
本発明の第２のコンテンツ記録再生装置は、本発明の第２のコンテンツ記録再生信号処理回路と、コンテンツを読み取る読取手段と、コンテンツ記録再生信号処理回路から出力されたコンテンツ入力制御信号で指示された速度で読取手段で読み取ったコンテンツをコンテンツ記録再生信号処理回路へ入力制御する制御手段と、ユーザからの記録もしくは再生の指示を受け付けて制御手段へ通知する記録再生装置操作手段と、コンテンツ記録再生信号回路から出力されるコンテンツを再生する再生手段とを備えている。
【００４２】
この構成によれば、本発明の第２のコンテンツ記録再生信号処理回路と同様の作用効果を奏する。
【００４３】
上記構成においては、記録再生装置操作手段は、表示手段を有し、コンテンツ入力速度判定手段で判定されたコンテンツ入力速度を表示することが好ましい。
【発明の効果】
【００４４】
本発明によれば、コンテンツ作成を行う前に記録媒体のアクセス性能からコンテンツ作成（情報記録）ができる処理時間を推測し、指定時間内に書き込みが完了しないことによる記録媒体への記録失敗や記録再試行の発生を防いでコンテンツを記録媒体に記録することができる。
【発明を実施するための最良の形態】
【００４５】
以下、本発明をコンテンツ記録再生処理回路に適用した実施の形態について図面を用いて説明する。
【００４６】
（実施の形態１）
図１は本発明の実施の形態１におけるコンテンツ記録再生信号処理回路のブロック図を示す。図１において、符号１は映像や音声などの外部からの入力速度が一定のコンテンツを示す。符号２はコンテンツを一時的に記憶する記憶手段を示す。この記憶手段２は、一時的に記憶したコンテンツを外部へ出力する。符号３は映像や音声を記録する記録媒体を示す。この記録媒体３は、例えば、ＳＤメモリなどの半導体メモリカードからなる。符号４は記録媒体３に含まれている読み書き制御用のコントローラを示す。符号５は記憶手段２に記録されたコンテンツを、コントローラ４を介して記録媒体３に書き込んだり、または、記録媒体３に記録されているコンテンツや記録媒体３の機器情報を読み込んだりするアクセス手段を示す。符号６は記録媒体３への読み書き・ファイル生成などのアクセス性能を計測し、記録媒体３へアクセスできる最大の速度を外部にコンテンツ入力制御信号として出力するアクセス性能計測手段を示す。符号７は記録媒体３を識別する機器情報とアクセス性能計測手段６で計測されたアクセス性能結果を関連付けて保持するアクセス性能結果記憶手段を示す。このアクセス性能結果記憶手段７としては、この実施の形態では、揮発性メモリ（一時的に記憶するワークメモリ）を想定しており、アクセス性能計測手段６で計測した結果を一時的に記憶しておく。コンテンツ入力制御信号を出力する際に、アクセス性能結果記憶手段７からアクセス性能結果を読み出す。
【００４７】
ここで、「作成」、「生成」の技術的意味について簡単に説明する。コンテンツ記録再生信号処理回路において、コンテンツ（ファイル）を作ることを「作成」と定義し、コンテンツ（ファイル）を読み書きするために、コンテンツ記録再生信号処理回路が記録媒体に対してアクセスする際の命令の１つを、ファイル生成(Create)と定義する。ファイル読み込み時およびファイル書き込み時の主な命令は、以下のとおりである。
ファイル読み込み時の主な命令
ファイル生成(Create)：FAT情報やディレクトリエントリの更新
ファイルオープン(Open)：読み込み準備
ファイルリード(Read)：読み込み
ファイルクローズ(Close)：読み込み終了処理
ファイル書き込み時の主な命令
ファイル生成(Create)：FAT情報やディレクトリエントリの更新
ファイルオープン(Open)：書き込み準備
ファイルライト(Write)：書き込み
ファイルクローズ(Close)：書き込み終了処理
以上のように構成された本実施の形態のコンテンツ記録再生信号処理回路の動作を図２に示すフローチャートに従って説明する。
【００４８】
記録媒体３がセットされているかが確認され（ステップＳ１：ＹＥＳ）、記録媒体３がセットされていると、アクセス性能計測手段６はアクセス手段５から記録媒体３のコントローラ４を介して記録媒体の機器情報を取得する（ステップＳ２）。
【００４９】
その後、アクセス性能計測手段６はアクセス手段５から記録媒体３のコントローラ４を介してアクセス性能を計測し（ステップＳ３）、計測したアクセス性能結果を、アクセス性能結果記憶手段７に記録媒体の機器情報と関連付けて、記録媒体情報として記憶する（ステップＳ４）。記録媒体情報の例を図３に示す。また、アクセス性能計測手段６は、計測したアクセス性能結果をコンテンツ入力制御信号として外部に出力する（ステップＳ５）。コンテンツ入力制御信号の例として、転送速度の単位「Kbyte/sec」や、「10240」等の数値や、読み込み速度／書き込み速度の種別等を送信する。
【００５０】
記録媒体への記録時は、コンテンツはコンテンツ入力制御信号で出力されたアクセス性能に基づき一定速度で入力され、記憶手段２に一時的に記憶され、アクセス手段５から記録媒体３のコントローラ４を介して記録媒体３へ書き込まれる。
【００５１】
なお、アクセス性能を計測するために、記録媒体３に読み書きするアクセス性能測定用データとして、記憶手段２に一定サイズのデータを予め保持してあり、記憶手段２からアクセス性能測定用データを読み出して、記録媒体３に書き込み、またそれを読み出すことになる。
【００５２】
ここで、ステップＳ３のアクセス性能計測の動作について説明する。この動作としては、計測方法の違いにより２通りがある。これらの動作を、図４、図５に示すフローチャートに従って説明する。
【００５３】
図４はタイマカウンタを用いた計測方法を示すフローチャートである。アクセス性能計測手段６によりアクセス手段５から記録媒体３にコントローラ４を介して書き込み及び読み込み処理にかかる時間を測定する。まず、書き込み開始時のタイマカウンタ値を読み出し記憶する（ステップＳ１１）。ファイル書き込みの場合、記録媒体３のコントローラ４に対して、ファイル生成コマンド（ステップＳ１２）、ファイルオープンコマンド（ステップＳ１３）を送信し、ファイル書き込みコマンドと書き込むデータを送信し（ステップＳ１４）、ファイルクローズコマンド（ステップＳ１５）を送信する。書き込み処理が終われば、再びタイマカウンタ値を読み出し記憶する（ステップＳ１６）。ステップＳ１１とステップＳ１６で読み出したタイマカウンタ値の差分を取り、タイマカウンタの１カウントあたりの秒数をかけることで、書き込み処理にかかった時間を算出することができる（ステップＳ１７）。ファイル生成(Create)、ファイルオープン(Open)、ファイルクローズ(Close)、ファイル書き込みにかかる時間と、書き込んだデータサイズから記録媒体のアクセス性能(書き込み速度)を求めることができる（ステップＳ１８）。
【００５４】
読み込み処理も同様に読み込み開始時のタイマカウンタ値を読み出し記憶する（ステップＳ１９）。ファイル読み込みの場合、記録媒体３のコントローラ４に対して、ファイルオープンコマンド（ステップＳ２０）を送信し、ファイル読み込みコマンドを送信し、読み込むデータを受信し（ステップＳ２１）、ファイルクローズコマンド（ステップＳ２２）を送信する。読み込み処理が終われば、再びタイマカウンタ値を読み出し記憶する（ステップＳ２３）。ステップＳ１９とステップＳ２３で読み出したタイマカウンタ値の差分を取り、タイマカウンタの１カウントあたりの秒数をかけることで、読み込み処理にかかった時間を算出することができる（ステップＳ２４）。ファイルオープン(Open)、ファイルクローズ(Close)、ファイル読み込みにかかる時間と、読み込んだデータサイズから記録媒体のアクセス性能(読み込み速度)を求めることができる（ステップＳ２５）。
【００５５】
図５はタイマ割込みを用いた計測方法を示すフローチャートである。タイマ割込みが発生したかどうかを確認し、発生すれば（ステップＳ３１：ＹＥＳ）、書き込み処理中かどうかの確認を行う（ステップＳ３２）。書き込み処理中であれば（ステップＳ３２：ＹＥＳ）、割込み回数カウンタをインクリメントし（ステップＳ３３）再び割込みが発生したかどうかを確認する状態になる（ステップＳ３１）。書き込み処理中かどうかの判定基準として、例えば、図４の説明で記述したファイル生成(Create)コマンド送信後からファイルを書き込んで、ファイルクローズ(Close)コマンド完了通知が返ってくるまでとする。書き込み処理中でなければ（ステップＳ３２：ＮＯ）書き込み処理が完了したかどうかを確認する（ステップＳ３４）。書き込み処理が完了していなければ（ステップＳ３４：ＮＯ）、再び割込みが発生したかどうかを確認する状態になる（ステップＳ３１）。書き込み処理が完了すれば（ステップＳ３４：ＹＥＳ）、割込み回数カウンタの値と割込みの発生間隔を掛けることで、書き込み処理にかかった時間を算出することができる（ステップＳ３５）。ファイル生成(Create)、ファイルオープン(Open)、ファイルクローズ(Close)、ファイル書き込みにかかる時間と、書き込んだデータサイズから記録媒体のアクセス性能(書き込み速度)を求めることができる（ステップＳ３６）。
【００５６】
読み込み処理も同様に読み込み開始時のタイマ割込みが発生したかどうかを確認し、発生すれば（ステップＳ３７：ＹＥＳ）、読み込み処理中かどうかの確認を行う（ステップＳ３８）。読み込み処理中であれば（ステップＳ３８：ＹＥＳ）、割込み回数カウンタをインクリメントし（ステップＳ３９）再び割込みが発生したかどうかを確認する状態になる（ステップＳ３７）。読み込み処理中かどうかの判定基準として、例えば、図４の説明で記述したファイルオープン(Open)コマンド送信後からファイルを読み込んで、ファイルクローズ(Close)コマンド完了通知が返ってくるまでとする。読み込み処理中でなければ（ステップＳ３８：ＮＯ）読み込み処理が完了したかどうかを確認する（ステップＳ４０）。読み込み処理が完了していなければ（ステップＳ４０：ＮＯ）、再び割込みが発生したかどうかを確認する状態になる（ステップＳ３７）。読み込み処理が完了すれば（ステップＳ４０：ＹＥＳ）、割込み回数カウンタの値と割込みの発生間隔を掛けることで、読み込み処理にかかった時間を算出することができる（ステップＳ４１）。ファイルオープン(Open)、ファイルクローズ(Close)、ファイル読み込みにかかる時間と、読み込んだデータサイズから記録媒体のアクセス性能(読み込み速度)を求めることができる（ステップＳ４２）。
【００５７】
以上のように、本実施の形態によれば、コンテンツ作成を行う前に記録媒体のアクセス性能を求め、計測したアクセス性能結果をコンテンツ入力制御信号として外部に出力することで、外部からのコンテンツ入力速度を最適にし、指定時間内に書き込みが完了しないこと（記録媒体のアクセス性能以上の速度で書き込むことによる記憶手段内のデータオーバーフロー）による記録媒体への記録失敗や記録再試行の発生を防いでコンテンツを記録媒体に記録することができるという有利な効果が得られる。
【００５８】
（実施の形態２）
図６は本発明の実施の形態２におけるコンテンツ記録再生信号処理回路のブロック図を示す。基本的な構造は、図１と同じであり、違いはアクセス性能結果記憶手段７内に、複数の記録媒体のアクセス性能結果データを保持できるようにし、また、記録媒体との接続が切れてもアクセス性能結果記憶手段７にアクセス性能結果データを保持できるようにしている点である。このアクセス性能結果記憶手段７としては、この実施の形態では、不揮発性メモリを想定しており、電源が切れても複数のアクセス性能結果を保持して、記録媒体が切り替わってもアクセス性能を計測しないで済むという利点がある。
【００５９】
以上のように構成された本実施の形態のコンテンツ記録再生信号処理回路の動作を図７に示すフローチャートに従って説明する。
【００６０】
記録媒体３がセットされているかが確認され（ステップＳ６１：ＹＥＳ）、セットされておれば、アクセス性能計測手段６はアクセス手段５から記録媒体３のコントローラ４を介して記録媒体３の機器情報を取得する（ステップＳ６２）。アクセス性能結果記憶手段７内にある記録媒体情報８にステップＳ６２で取得した記録媒体３の機器情報と同じ記録媒体３の機器情報が存在するかどうかを確認する（ステップＳ６３）。記録媒体情報８の例として、図８に示すように、記録媒体毎に固有の記録媒体識別情報や、以前に計測されたアクセス性能（書き込み速度・読み込み速度）が書かれているものとする。記録媒体情報８にステップＳ６２で取得した記録媒体３の機器情報と同じ記録媒体３の機器情報があった場合（ステップＳ６４：ＹＥＳ）、記録媒体情報８内にある該当記録媒体３の機器情報とそれに対応したアクセス結果情報とを取得する（ステップＳ６５）。記録媒体情報８に記録媒体３の情報がない場合（ステップＳ６４：ＮＯ）、アクセス性能計測手段６はアクセス手段５から記録媒体３のコントローラ４を介してアクセス性能を計測し（ステップＳ６６）、計測したアクセス性能結果をアクセス性能結果記憶手段７に記録媒体の機器情報と関連付けて記憶する（ステップＳ６７）。アクセス性能計測手段６はステップＳ６５またはステップＳ６６で得られたアクセス性能結果をコンテンツ入力制御信号として外部に出力する（ステップＳ６８）。
【００６１】
記録媒体への記録時は、コンテンツはコンテンツ入力制御信号で出力されたアクセス性能に基づき一定速度で入力され、記憶手段２に一時的に記憶され、アクセス手段５から記録媒体３のコントローラ４を介して記録媒体３へ書き込まれる。
【００６２】
以上のように本実施の形態によれば、アクセス性能を計測済みの記録媒体が接続された際に、再度アクセス性能測定をすることなく、アクセス速度を判定することができる。これはアクセス性能計測を省略することによるアクセス速度判定の短時間化と記録媒体３への書き込み回数減少による記録媒体の劣化を少なくすることができるという有利な効果が得られる。
【００６３】
（実施の形態３）
図９は本発明の実施の形態３におけるコンテンツ記録再生信号処理回路のブロック図を示す。基本的な構造は、図１と同じであり、違いは記録媒体３内に、記録媒体情報９（記録媒体３のアクセス性能情報）を保持している点である。
【００６４】
以上のように構成された本実施の形態のコンテンツ記録再生信号処理回路の動作を図１０に示すフローチャートに従って説明する。
【００６５】
記録媒体３がセットされているかが確認され（ステップＳ８１：ＹＥＳ）、セットされておれば、アクセス性能計測手段６はアクセス手段５から記録媒体３のコントローラ４を介して記録媒体の機器情報を取得する（ステップＳ８２）。さらに記録媒体３内に記録媒体３の記録媒体情報９が存在するかどうかを確認する（ステップＳ８３）。記録媒体情報９の例として、図１１に示すように、記録媒体３の記録媒体識別情報や、以前に計測されたアクセス性能（書き込み速度・読み込み速度）が書かれているものとする。また記録媒体情報９は例えば、記録媒体３のルートディレクトリ上にファイル名を記録媒体識別情報（固有ＩＤ）とする隠し属性のファイルとして作成されているものとする。
【００６６】
記録媒体情報９があった場合（ステップＳ８４：ＹＥＳ）、記録媒体情報９が正しいかどうか確認する（ステップＳ８５）。確認方法の例として、記録媒体情報９を作成時にチェックサムを付加しておき、取得時にチェックサムを確認する。記録媒体情報９が正しい場合（ステップＳ８６：ＹＥＳ）、記録媒体情報９内にあるデータベースから（記録媒体３の）機器情報を取得する（ステップＳ８７）。
【００６７】
記録媒体情報９が正しくない場合（ステップＳ８６：ＮＯ）、または、記録媒体情報９の情報がない場合（ステップＳ８４：ＮＯ）、アクセス性能計測手段６はアクセス手段５から記録媒体３のコントローラ４を介してアクセス性能を計測し（ステップＳ８８）、計測したアクセス性能結果を記録媒体３内にあるデータベースに記録媒体の機器情報と関連付けて記憶する（ステップＳ８９）。アクセス性能計測手段６はステップＳ８７またはステップＳ８８で得られたアクセス性能結果をコンテンツ入力制御信号として外部に出力する（ステップＳ９０）。
【００６８】
記録媒体への記録時は、コンテンツはコンテンツ入力制御信号で出力されたアクセス性能に基づき一定速度で入力され、記憶手段２に一時的に記憶され、アクセス手段５から記録媒体３のコントローラ４を介して記録媒体３へ書き込まれる。
【００６９】
以上のように本実施の形態によれば、前記記録媒体が実際にアクセス性能を計測した機器(信号処理回路)以外の機器に接続されても、再度アクセス性能測定をすることなく、アクセス性能を判定することができる。また、計測したアクセス性能結果が正しいかどうかを判断することができる。
【００７０】
これは、アクセス性能結果を複数のコンテンツ記録再生信号処理回路で共有でき、アクセス性能計測を省略することによるアクセス速度判定の短時間化と記録媒体３への書き込み回数減少による記録媒体の劣化を少なくすることができるという有利な効果が得られる。
【００７１】
（実施の形態４）
図１２は本発明の実施の形態４におけるコンテンツ記録再生信号処理回路のブロック図を示す。基本的な構造は、図１と同じであり、違いは、外部から一定速度で入力されるコンテンツを指示された形式に信号圧縮する信号圧縮手段１０と、信号圧縮手段１０で圧縮される度合い（圧縮率）と記録媒体３のアクセス性能から最適なコンテンツ入力速度を判定し、コンテンツ入力制御信号として出力するコンテンツ入力速度判定手段１１を備えている点である。
【００７２】
以上のように構成された本実施の形態のコンテンツ記録再生信号処理回路の動作を図１３に示すフローチャートに従って説明する。
【００７３】
記録媒体３がセットされているかが確認され（ステップＳ１０１：ＹＥＳ）、セットされておれば、アクセス性能計測手段６はアクセス手段５から記録媒体３のコントローラ４を介して記録媒体の機器情報を取得する（ステップＳ１０２）。アクセス性能計測手段６はアクセス手段５から記録媒体３のコントローラ４を介してアクセス性能を計測し（ステップＳ１０３）、計測したアクセス性能結果をアクセス性能結果記憶手段７に記録媒体の機器情報と関連付けて記憶する（ステップＳ１０４）。コンテンツ入力速度判定手段１１は外部からのコンテンツ入力の入力速度と、外部から入力されるコンテンツ入力を指定された形式に信号圧縮手段１０で信号圧縮されたコンテンツの転送速度から、外部からのコンテンツ入力信号の圧縮率を求める（ステップＳ１０５）。コンテンツ入力速度判定手段１１は外部からのコンテンツ入力信号の圧縮率と記録媒体３のアクセス性能結果から最適なコンテンツ入力速度を判定し、コンテンツ入力制御信号として外部に出力する（ステップＳ１０７）。例として、信号圧縮手段１０で元のコンテンツ入力信号の転送速度がＰ M byte/sec、圧縮後の転送速度がＱ M byte/secとすると、圧縮率はＰ／Ｑとなる。
【００７４】
記録媒体への記録時は、コンテンツはコンテンツ入力制御信号で出力されたアクセス性能に基づき一定速度で入力され、圧縮後に記憶手段２に一時的に記憶され、アクセス手段５から記録媒体３のコントローラ４を介して記録媒体３へ書き込まれる。
【００７５】
なお、この実施の形態４は、実施の形態１の構成に、信号圧縮手段１０とコンテンツ入力速度判定手段１１とを追加した構成を示すものであるが、実施の形態２または３の構成に信号圧縮手段１０とコンテンツ入力速度判定手段１１とを追加した構成も上記と同様に考えられるのはいうまでもない。
【００７６】
（実施の形態５）
図１４は本発明の実施の形態５におけるコンテンツ記録再生装置のブロック図を示す。図１４において、符号１２は映像や音声などの外部からのコンテンツを示す。符号１３は読取手段を示す。符号１５はユーザからの入力（指示）を受け付ける記録再生装置操作手段を示す。符号１６はコンテンツを再生する再生手段を示す。符号１７はコンテンツ記録再生信号処理回路を示す。符号１４は読取手段１３、記録再生装置操作手段１５、再生手段１６、およびコンテンツ記録再生信号処理回路１７を制御する制御手段を示す。符号１８はコンテンツ記録再生装置を示す。
【００７７】
以上のように構成された本実施の形態のコンテンツ記録再生装置の動作を説明する。
【００７８】
記録媒体３がコンテンツ記録再生装置１８に接続されると、制御手段１４はコンテンツ記録再生信号処理回路１７を制御する。コンテンツ記録再生信号処理回路１７は記録媒体のアクセス性能を計測し、記録媒体にアクセスできる最大の速度をコンテンツ入力制御信号として制御手段１４に出力する。制御手段１４は、記録媒体３のアクセス性能を記録再生装置操作手段１５へ通知する。記録再生装置操作手段１５は記録媒体３のアクセス性能をユーザに表示装置等を介して通知する。記録再生装置操作手段１５はユーザからの指示を受け、制御手段１４に通知する。制御手段１４はユーザからの指示が記録指示であれば、読取手段１３、コンテンツ記録再生信号処理回路１７を制御し、記憶手段２へ一定速度でコンテンツを入力する。ここで、読取手段１３の読取速度は、この実施の形態では、バッファなどの一時記憶手段は想定していないので、記憶手段２への入力速度と同じである。
【００７９】
また、制御手段１４はユーザからの指示が再生指示であれば、コンテンツ記録再生信号処理回路１７を制御し、記録媒体３よりコンテンツを読み出し、再生手段１６へコンテンツを出力し、再生手段１６を制御し、外部にコンテンツ再生を行う。
【００８０】
上記の実施の形態５のコンテンツ記録再生装置は、実施の形態１のコンテンツ記録再生信号処理回路を構成要素として含むものであったが、実施の形態２〜４のコンテンツ記録再生信号処理回路を構成要素として含むコンテンツ記録再生装置も上記と同様に考えることができる。特に、実施の形態５のコンテンツ記録再生信号処理回路を含む構成の場合、記録再生装置操作手段１５はコンテンツ入力速度判定手段１１で判定されたコンテンツ入力速度を，記録媒体３のアクセス性能に代えて、ユーザに表示装置等を介して通知する。
【００８１】
なお、本発明は上述の実施の形態に限定されないのはもちろんである。すなわち、
（１）上述の実施の形態では、記録対象を楽曲としていたが、写真、動画、音声映像を含む番組、ゲーム等のコンテンツを記録対象としてもよい。映像を含むコンテンツの場合、画像データの圧縮方式やビットレート、フレームサイズ等を画質に係る情報を記録速度判定情報とすることが考えられる。
【産業上の利用可能性】
【００８２】
本発明は、ＳＤメモリカード、ＵＳＢメモリカード等、内部に読み書き制御するコントローラを保有する記録媒体に楽曲や映像等のコンテンツを記録する装置に適用することができる。
【図面の簡単な説明】
【００８３】
【図１】本発明の実施の形態１におけるコンテンツ記録再生信号処理回路の構成を示すブロック図である。
【図２】本発明の実施の形態１におけるコンテンツ記録再生信号処理回路の制御フローを示すフローチャートである。
【図３】本発明の実施の形態１におけるコンテンツ記録再生信号処理回路で保持される記録媒体情報の一例を示した図である。
【図４】本発明の実施の形態１におけるコンテンツ記録再生信号処理回路のアクセス性能計測（タイマカウンタ）制御フローを示すフローチャートである。
【図５】本発明の実施の形態１におけるコンテンツ記録再生信号処理回路のアクセス性能計測（タイマ割込み）制御フローを示すフローチャートである。
【図６】本発明の実施の形態２におけるコンテンツ記録再生信号処理回路の構成を示すブロック図である。
【図７】本発明の実施の形態２におけるコンテンツ記録再生信号処理回路の制御フローを示すフローチャートである。
【図８】本発明の実施の形態２におけるコンテンツ記録再生信号処理回路で保持される記録媒体情報の一例を示した図である。
【図９】本発明の実施の形態３におけるコンテンツ記録再生信号処理回路の構成を示すブロック図である。
【図１０】本発明の実施の形態３におけるコンテンツ記録再生信号処理回路の制御フローを示すフローチャートである。
【図１１】本発明の実施の形態３における記録媒体で保持される記録媒体情報の一例を示した図である。
【図１２】本発明の実施の形態４におけるコンテンツ記録再生信号処理回路の構成を示すブロック図である。
【図１３】本発明の実施の形態４におけるコンテンツ記録再生信号処理回路の制御フローを示すフローチャートである。
【図１４】本発明の実施の形態５におけるコンテンツ記録再生装置のブロック図である。
【図１５】従来のコンテンツ記録再生信号処理回路のブロック図である。
【符号の説明】
【００８４】
１      コンテンツ入力
２      記憶手段
３      記録媒体
４      コントローラ
５      アクセス手段
６      アクセス性能計測手段
７      アクセス性能結果記憶手段
８      複数の記録媒体情報
９      記録媒体情報
１０    信号圧縮手段
１１    コンテンツ入力速度判定手段
１２    コンテンツ入力
１３    読取手段
１４    制御手段
１５    記録再生装置操作手段
１６    再生手段
１７    コンテンツ記録再生信号処理回路
１８    コンテンツ記録再生装置
１０１  コンテンツ入力
１０２    記憶手段
１０３    記録媒体
１０４    コントローラ
１０５    アクセス手段
【図１】
2009037699.tif 000003
【図２】
2009037699.tif 000004
【図３】
2009037699.tif 000005
【図４】
2009037699.tif 000006
【図５】
2009037699.tif 000007
【図６】
2009037699.tif 000008
【図７】
2009037699.tif 000009
【図８】
2009037699.tif 000010
【図９】
2009037699.tif 000011
【図１０】
2009037699.tif 000012
【図１１】
2009037699.tif 000013
【図１２】
2009037699.tif 000014
【図１３】
2009037699.tif 000015
【図１４】
2009037699.tif 000016
【図１５】
2009037699.tif 000017